(57)【要約】      （修正有）【課題】  左右の躯体間の目地部の寸法の半分以上狭くなる揺れ動きでも、損傷なくその揺れ動きを吸収することができる、コンパクトで経済的に設置でき、伸縮時に隙間が生じるのを防止して、安全に使用することができる壁面用目地装置を得るにある。【解決手段】目地部２の幅寸法の約数分の１の幅寸法の枠体６と、他方の目地部側躯体３にヒンジ部材４を介して水平方向に回動可能に取付けられた支柱７と、中央枢支部９が少なくとも１箇所以上有するパンタグラフ形状の少なくとも２個以上の伸縮リンク１０と、、枠体に固定された枠体を覆うカバーパネル１３と、先端部がカバーパネル等と重なり合う中央枢支部間の寸法の約２倍の幅寸法の少なくとも１枚以上の可動カバーパネル１４と、支柱に後端部が固定され先端部が支柱の隣りの中間支柱１２に固定された可動カバーパネル１４と重なり合う可動カバーパネルとほぼ同じ大きさの固定カバーパネル１５とで構成している。【選択図】  図３
2006057377.tif 000002
【特許請求の範囲】
【請求項１】
目地部を介して設けられた左右の躯体の、一方の目地部側躯体にヒンジ部材を介して先端部が水平方向に回動可能に取付けられた、該目地部の幅寸法の約数分の１の幅寸法の枠体と、この枠体の取付部と対向する部位の前記左右の躯体の他方の目地部側躯体にヒンジ部材を介して水平方向に回動可能に取付けられた支柱と、この支柱と前記枠体の先端部に並列するように両端部が枢支された中央枢支部が少なくとも１箇所以上有するパンタグラフ形状の少なくとも２個以上の伸縮リンクと、この少なくとも２個以上の伸縮リンクの中央枢支部に常時垂直状態を維持するように枢支された少なくとも１本以上の中間支柱と、前記枠体に固定された、該枠体を覆うカバーパネルと、前記少なくとも１本以上の中間支柱に後端部が固定され、先端部が前記カバーパネル等と重なり合う前記中央枢支部間の寸法の約２倍の幅寸法の少なくとも１枚以上の可動カバーパネルと、前記支柱に後端部が固定され、先端部が該支柱の隣りの中間支柱に固定された可動カバーパネルと重なり合う、該可動カバーパネルとほぼ同じ大きさの固定カバーパネルとで構成されていることを特徴とする壁面用目地装置。
【請求項２】
目地部を介して設けられた左右の躯体の、一方の目地部側躯体にヒンジ部材を介して先端部が水平方向に回動可能に取付けられた、該目地部の幅寸法の約数分の１の幅寸法の枠体と、この枠体の取付部と対向する部位の前記左右の躯体の他方の目地部側躯体にヒンジ部材を介して水平方向に回動可能に取付けられた支柱と、この支柱と前記枠体の先端部に並列するように両端部が枢支された中央枢支部が少なくとも１箇所以上有するパンタグラフ形状の少なくとも２個以上の伸縮リンクと、この２個以上の伸縮リンクの前記枠体側の少なくとも一方のリンク部材を、該枠体側へ突出させて形成した支持バーと、この支持バーが水平方向に回動するのを阻止するように、前記枠体に取付けられた揺れ防止板と、前記少なくとも２個以上の伸縮リンクの中央枢支部に常時垂直状態を維持するように枢支された少なくとも１本以上の中間支柱と、前記枠体に固定された、該枠体を覆うカバーパネルと、前記少なくとも１本以上の中間支柱に後端部が固定され、先端部が前記カバーパネル等と重なり合う前記中央枢支部間の寸法の約２倍の幅寸法の少なくとも１枚以上の可動カバーパネルと、前記支柱に後端部が固定され、先端部が該支柱の隣りの中間支柱に固定された可動カバーパネルと重なり合う、該可動カバーパネルとほぼ同じ大きさの固定カバーパネルとで構成されていることを特徴とする壁面用目地装置。
【請求項３】
少なくとも２個以上の伸縮リンクの、平常時の中央枢支部間の寸法は、枠体の幅寸法の約２分の１であることを特徴とする請求項１、２いずれかに記載の壁面用目地装置。
【発明の詳細な説明】
【技術分野】
【０００１】
本発明は目地部を介して設けられた左右の躯体間の壁面部分を覆う壁面用目地装置に関する。
【背景技術】
【０００２】
従来のこの種の壁面用目地装置は、左右の目地部側の躯体に先端部が水平方向に回動可能に左右のカバープレートを重なり合うように取付ける構造になっている。
【０００３】
このため、地震等の揺れ動き時には、左右の躯体間の目地部の寸法の半分以下の寸法の揺れ動きしか吸収することができないという欠点があった。
【特許文献１】特許第２９１４５１０号
【発明の開示】
【発明が解決しようとする課題】
【０００４】
本発明は以上のような従来の欠点に鑑み、左右の躯体間の目地部の寸法の半分以上狭くなる揺れ動きでも、損傷なくその揺れ動きを吸収することができる、コンパクトで経済的に設置でき、伸縮時に隙間が生じるのを防止して、安全に使用することができる壁面用目地装置を提供することを目的としている。
また、本発明は可動カバーパネルの水平方向の揺れを効率よく阻止できるとともに、最小と最大の伸縮を満足させる、最小の幅寸法の可動カバーパネルや固定カバーパネルを用いることができる壁面用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の躯体の、一方の目地部側躯体にヒンジ部材を介して先端部が水平方向に回動可能に取付けられた、該目地部の幅寸法の約数分の１の幅寸法の枠体と、この枠体の取付部と対向する部位の前記左右の躯体の他方の目地部側躯体にヒンジ部材を介して水平方向に回動可能に取付けられた支柱と、この支柱と前記枠体の先端部に並列するように両端部が枢支された中央枢支部が少なくとも１箇所以上有するパンタグラフ形状の少なくとも２個以上の伸縮リンクと、この少なくとも２個以上の伸縮リンクの中央枢支部に常時垂直状態を維持するように枢支された少なくとも１本以上の中間支柱と、前記枠体に固定された、該枠体を覆うカバーパネルと、前記少なくとも１本以上の中間支柱に後端部が固定され、先端部が前記カバーパネル等と重なり合う前記中央枢支部間の寸法の約２倍の幅寸法の少なくとも１枚以上の可動カバーパネルと、前記支柱に後端部が固定され、先端部が該支柱の隣りの中間支柱に固定された可動カバーパネルと重なり合う、該可動カバーパネルとほぼ同じ大きさの固定カバーパネルとで壁面用目地装置を構成している。
【発明の効果】
【０００７】
以上の説明から明らかなように、本発明にあっては次に列挙する効果が得られる。
【０００８】
（１）目地部を介して設けられた左右の躯体の、一方の目地部側躯体にヒンジ部材を介して先端部が水平方向に回動可能に取付けられた、該目地部の幅寸法の約数分の１の幅寸法の枠体と、この枠体の取付部と対向する部位の前記左右の躯体の他方の目地部側躯体にヒンジ部材を介して水平方向に回動可能に取付けられた支柱と、この支柱と前記枠体の先端部に並列するように両端部が枢支された中央枢支部が少なくとも１箇所以上有するパンタグラフ形状の少なくとも２個以上の伸縮リンクと、この少なくとも２個以上の伸縮リンクの中央枢支部に常時垂直状態を維持するように枢支された少なくとも１本以上の中間支柱と、前記枠体に固定された、該枠体を覆うカバーパネルと、前記少なくとも１本以上の中間支柱に後端部が固定され、先端部が前記カバーパネル等と重なり合う前記中央枢支部間の寸法の約２倍の幅寸法の少なくとも１枚以上の可動カバーパネルと、前記支柱に後端部が固定され、先端部が該支柱の隣りの中間支柱に固定された可動カバーパネルと重なり合う、該可動カバーパネルとほぼ同じ大きさの固定カバーパネルとで構成されているので、左右の躯体間の目地部の地震等の伸縮予想値と設置幅の比を最小に設定することができる。
したがって、経済的に設置することができる。
【０００９】
（２）前記（１）によって、目地部が拡大するように左右の躯体が揺れ動いても、カバーパネル、少なくとも１枚以上の可動カバーパネルおよび固定カバーパネル間に隙間が生じるのを防止することができる。
したがって安全に使用することができる。
【００１０】
（３）前記（１）によって、枠体を用いているので、少なくとも２個以上の伸縮リンクの長さをその分だけ短くすることができる。
したがって、従来のように伸縮リンクが長くなって、前後方向の圧力に対して弱くなるのを効率よく防止することができる。
【００１１】
（４）請求項２も前記（１）〜（３）と同様な効果が得られるとともに、支持バーと揺れ防止板によって、少なくとも２個以上の伸縮リンクの伸縮方向と直角方向の揺れを確実に阻止することができる。
したがって、これらの揺れによって発生する騒音や損傷を効率よく防止することができる。
【００１２】
（５）請求項３も前記（１）〜（３）と同様な効果が得られるとともに、カバーパネル、少なくとも１枚以上の可動カバーパネルおよび固定カバーパネルを最小の幅寸法のものを使用でき、より経済的に設置することができる。
【発明を実施するための最良の形態】
【００１３】
以下、図面に示す本発明を実施するための最良の形態により、本発明を詳細に説明する。
【００１４】
図１ないし図８に示す本発明を実施するための最良の第１の形態において、１は目地部２を介して設けられた左右の躯体３、３の壁面３ａ、３ａ間を伸縮可能に覆う本発明の壁面用目地装置で、この壁面用目地装置１は前記左右の躯体３、３の、一方の目地部側躯体３にヒンジ部材４を介して先端部が水平方向に回動可能に取付けられた、前記目地部２の幅寸法Ｌのほぼ５分の２の幅寸法で、先端部にリンク挿入孔５を有する枠体６と、この枠体６の取付部と対向する部位の、前記左右の躯体３、３の他方の目地部側躯体３にヒンジ部材４を介して水平方向に回動可能に取付けられた支柱７と、この支柱７と前記枠体６の先端部のリンク挿入孔５に挿入され、並列するように両端部が枢支ピン８、８で枢支された中央枢支部９が少なくとも１箇所以上、本発明を実施する形態では２箇所のパンタグラフ形状の少なくとも２個以上、本発明を実施する形態では２個の伸縮リンク１０、１０と、この伸縮リンク１０、１０の中央枢支部９、９に常時垂直状態を維持するように枢支ピン１１、１１で枢支された２本の中間支柱１２、１２と、前記枠体６に固定された、該枠体６を覆うカバーパネル１３と、前記２本の中間支柱１２、１２に後端部が固定され、先端部が前記カバーパネル１３等に重なり合う、前記カバーパネル１３とほぼ同じ大きさの可動カバーパネル１４、１４と、前記支柱７に後端部が固定され、先端部が該支柱７の隣りの中間支柱１２に固定された可動カバーパネル１４と重なり合う、該可動カバーパネル１４とほぼ同じ大きさの固定カバーパネル１５と、前記枠体６のリンク挿入孔５に挿入された２個の伸縮リンク１０、１０の少なくとも一方のリンク部材１０ａ、１０ａを、該枠体６内へ突出させて形成した支持バー１６、１６と、この支持バー１６、１６が水平方向に回動するのを阻止するように、前記枠体６に取付けられた揺れ防止板１７、１７とで構成されている。
なお、可動カバーパネル１４、１４や固定カバーパネル１５が取付けられる中間支柱１２、１２や支柱７は、該可動カバーパネル１４、１４や固定カバーパネル１５との間に隙間が生じることなく重なり合うように、あらかじめ該可動カバーパネル１４、１４の厚さ分だけ順次厚さ寸法が異なる中間支柱１２、１２や支柱７を用いるか、あるいは可動カバーパネル１４の厚さ寸法分だけを順次修正するスペーサーを介して中間支柱１２、１２や支柱７に可動カバーパネル１４、１４や固定カバーパネル１５を取付ける。
【００１５】
上記構成の壁面用目地装置１は、平常時には図３に示すように左右の躯体３、３の壁面間の目地部２をカバーパネル１３に先端部が重なり合う可動カバーパネル１４、１４および固定カバーパネル１５で覆われている。
【００１６】
地震等によって目地部２が狭くなるように左右の躯体３、３が揺れ動くと、図６に示すように２個の伸縮リンク１０、１０が収縮し、最小で枠体６の先端部と中間支柱１２、１２および支柱７が重なり合う状態まで収縮して、カバーパネル１３に可動カバーパネル１４、１４および固定カバーパネル１５が順次重なり、その揺れ動きを吸収することができる。
【００１７】
地震等によって目地部２が広くなるように左右の躯体３、３が揺れ動くと、図７に示すように２個の伸縮リンク１０、１０が伸長し、最大でカバーパネル１３に可動カバーパネル１４、１４および固定カバーパネル１５の先端部がそれぞれわずかだけ重なり合う状態まで伸長し、その揺れ動きを吸収することができる。
【００１８】
地震等によって左右の躯体３、３が異なる前後方向に揺れ動いた場合には、図８に示すように両端部のヒンジ部材４、４によって、枠体６や２個の伸縮リンク１０、１０が水平方向に回動して、その揺れ動きを吸収することができる。
［発明を実施するための異なる形態］
【００１９】
次に、図９ないし図１８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図９ないし図１１に示す本発明を実施するための第２の形態において、前記本発明を実施するための最良の第１の形態と主に異なる点は、目地部２の幅寸法Ｌのほぼ３分の１の幅寸法の枠体６Ａと、３個の中央枢支部９、９、９が形成される２個の伸縮リンク１０Ａ、１０Ａ、この３個の中央枢支部９、９、９に枢支ピン１１、１１、１１で枢支された３本の中間支柱１２、１２、１２および、この３本の中間支柱１２、１２、１２に後端部が固定された可動カバーパネル１４、１４、１４とを用いた点で、このように構成した壁面用目地装置１Ａは、前記本発明を実施するための最良の第１の形態と同様な作用効果が得られるとともに、ほぼ目地部２の幅寸法Ｌの３分の１まで収縮した状態の揺れ動きまで吸収することができる。
【００２１】
図１２ないし図１５に示す本発明を実施するための第３の形態において、前記本発明を実施するための最良の第１の形態と主に異なる点は、枠体６Ｂの先端部のバー部材６ａの背面に２個の伸縮リンク１０、１０の一端部を枢支ピン８、８で枢支するとともに、該２個の伸縮リンク１０、１０の支持バー１６、１６が水平方向に回動するのを阻止できるように揺れ防止板１７Ａ、１７Ａを枠体６Ｂに固定した点で、このように構成した壁面用目地装置１Ｂにしても、前記本発明を実施するための最良の第１の形態と同様な作用効果が得られる。
【００２２】
図１６ないし図１８に示す本発明を実施するための第４の形態において、前記本発明を実施するための最良の第１の形態と主に異なる点は、目地部２の幅寸法Ｌのほぼ半分の幅寸法の枠体６Ｃと、１個の中央枢支部９が形成された２個の伸縮リンク１０Ｂ、１０Ｂ、この１個の中央枢支部９に枢支ピン１１で枢支された１本の中間支柱１２、この１本の中間支柱１２に後端部が固定された１枚の可動カバーパネル１４を用いるとともに、枠体６Ｃと支柱７の高さ寸法と同じ長さのヒンジ部材４Ａ、４Ａを用いて枠体６Ｃと支柱７とを左右の目地部側躯体３、３に取付けた点で、このように構成した壁面用目地装置１Ｃにしても、同様な作用効果が得られるとともに、ヒンジ部材４Ａ、４Ａによって隙間が生じるのも確実に防止することができる。
【００２３】
なお、前記本発明を実施するための最良の第１の形態、第２の形態、第３の形態にも第４の形態のヒンジ部材４Ａ、４Ａを用いて構成してもよい。
【産業上の利用可能性】
【００２４】
本発明は壁面用目地装置を製造する産業で利用される。
【図面の簡単な説明】
【００２５】
【図１】本発明を実施するための最良の第１の形態の正面図。
【図２】本発明を実施するための最良の第１の形態の背面図。
【図３】図１の３−３線に沿う拡大断面図。
【図４】本発明を実施するための最良の第１の形態の枠体と２個の伸縮リンクの説明図。
【図５】図４の５−５線に沿う拡大断面図。
【図６】本発明を実施するための最良の第１の形態の目地部が狭くなった動作説明図。
【図７】本発明を実施するための最良の第１の形態の目地部が広くなった動作説明図。
【図８】本発明を実施するための最良の第１の形態の異なる前後方向の動作説明図。
【図９】本発明を実施するための第２の形態の正面図。
【図１０】本発明を実施するための第２の形態の背面図。
【図１１】図９の１１−１１線に沿う拡大断面図。
【図１２】本発明を実施するための第３の形態の正面図。
【図１３】本発明を実施するための第３の形態の背面図。
【図１４】図１２の１４−１４線に沿う拡大断面図。
【図１５】本発明を実施するための第３の形態の揺れ防止板の説明図。
【図１６】本発明を実施するための第４の形態の正面図。
【図１７】本発明を実施するための第４の形態の背面図。
【図１８】図１６の１８−１８線に沿う拡大断面図。
【符号の説明】
【００２６】
１、１Ａ、１Ｂ、１Ｃ：壁面用目地装置、
２：目地部、                  ３：躯体、
４、４Ａ：ヒンジ部材、        ５：リンク挿入孔、
６、６Ａ、６Ｂ、６Ｃ：枠体、  ７：支柱、
８：枢支ピン、                ９：中央枢支部、
１０、１０Ａ、１０Ｂ：伸縮リンク、
１１：枢支ピン、              １２：中間支柱、
１３：カバーパネル、          １４：可動カバーパネル、
１５：固定カバーパネル、            １６：支持バー、
１７、１７Ａ：揺れ防止板。
【図１】
2006057377.tif 000003
【図２】
2006057377.tif 000004
【図３】
2006057377.tif 000005
【図４】
2006057377.tif 000006
【図５】
2006057377.tif 000007
【図７】
2006057377.tif 000008
【図８】
2006057377.tif 000009
【図９】
2006057377.tif 000010
【図１０】
2006057377.tif 000011
【図１１】
2006057377.tif 000012
【図１２】
2006057377.tif 000013
【図１３】
2006057377.tif 000014
【図１４】
2006057377.tif 000015
【図１５】
2006057377.tif 000016
【図１６】
2006057377.tif 000017
【図１７】
2006057377.tif 000018
【図１８】
2006057377.tif 000019
【図６】
2006057377.tif 000020